(57)【特許請求の範囲】
【請求項１】
複数の行及び複数の列に沿って複数の表示画素が２次元配列された表示パネルを表示データに基づいて表示駆動する表示駆動装置であって、
各行に配列された前記各表示画素に選択信号を順次印加して、各行の前記各表示画素を順次選択状態に設定する選択駆動部と、
前記表示データに基づく駆動信号を生成し、前記選択状態に設定された各行の前記各表示画素に供給して、該各表示画素に前記駆動信号を書き込む書込動作を行うデータ駆動部と、
前記表示パネルの前記複数の行を、２行以上の所定の数の行を１つのグループとする複数のグループに分け、前記選択駆動部により前記選択状態に設定され、前記書込動作が行われる行を含む、前記複数のグループにおける１つの前記グループを、当該グループに含まれる前記各表示画素へ前記書込動作が行われる期間に亘って書込領域に設定し、該書込領域に設定する前記グループを、前記選択駆動部による前記各行の前記各表示画素への前記選択信号の印加動作に対応して、当該グループに含まれる前記各表示画素への前記書込動作が終了する毎に順次移動させ、前記書込領域に設定した前記グループから１以上のグループ数だけ離間して配設され、前記書込領域の移動に対応して順次移動する、前記複数のグループにおける少なくとも１つの前記グループを指定領域に設定し、前記各表示画素を動作させるための電源電圧を供給し、前記書込領域に設定する前記グループに含まれる行に対応する前記各表示画素、及び、前記指定領域に設定する前記グループに含まれる行に対応する前記各表示画素を同時に非表示動作させる電源駆動部と、
を備えることを特徴とする表示駆動装置。
【請求項２】
前記電源駆動部は、前記表示パネルに配列された前記表示画素の行数よりも少ない数のシフト信号を順次出力するシフトレジスタ回路と、前記シフト信号を、前記表示画素を非表示動作させるための前記電源電圧に応じた電圧レベルに変換して、前記選択信号の印加タイミングに同期して、前記書込領域及び前記指定領域に設定する前記グループに含まれる行に対応する前記各表示画素に同時に印加する出力回路と、を有することを特徴とする請求項１記載の表示駆動装置。
【請求項３】
前記電源駆動部は、前記選択信号の印加タイミングに同期して、前記出力回路より、前記書込領域及び前記指定領域以外の行に対応する前記各表示画素に、表示レベルの前記電源電圧を印加することを特徴とする請求項２記載の表示駆動装置。
【請求項４】
前記指定領域は複数であり、該各指定領域は、前記書込領域から所定のグループ数だけ離間しているとともに、互いに前記所定のグループ数だけ離間していることを特徴とする請求項１記載の表示駆動装置。
【請求項５】
複数の行及び複数の列に沿って複数の表示画素が配列された表示パネルを備えて、該表示パネルに表示データに基づく画像情報を表示する表示装置において、
前記表示パネルの各行に配列された前記各表示画素に選択信号を順次印加して、各行の前記各表示画素を順次選択状態に設定する選択駆動部と、
前記表示データに基づく駆動信号を生成し、前記選択状態に設定された各行の前記各表示画素に供給して、該各表示画素に前記駆動信号を書き込む書込動作を行うデータ駆動部と、
前記表示パネルの前記複数の行を、２行以上の所定の数の行を１つのグループとする複数のグループに分け、前記選択駆動部により前記選択状態に設定され、前記書込動作が行われる行を含む、前記複数のグループにおける１つの前記グループを、当該グループに含まれる前記各表示画素へ前記書込動作が行われる期間に亘って書込領域に設定し、該書込領域に設定する前記グループを、前記選択駆動部による前記各行の前記各表示画素への前記選択信号の印加動作に対応して、当該グループに含まれる前記各表示画素への前記書込動作が終了する毎に順次移動させ、前記書込領域に設定した前記グループから１以上のグループ数だけ離間して配設され、前記書込領域の移動に対応して順次移動する、前記複数のグループにおける少なくとも１つの前記グループを指定領域に設定し、前記各表示画素を動作させるための電源電圧を供給し、前記書込領域に設定する前記グループに含まれる行に対応する前記各表示画素、及び、前記指定領域に設定する前記グループに含まれる行に対応する前記各表示画素を同時に非表示動作させる電源駆動部と、
を有する表示駆動装置を備えることを特徴とする表示装置。
【請求項６】
前記電源駆動部は、前記選択信号の印加タイミングに同期して、前記書込領域及び前記指定領域以外の行に対応する前記各表示画素に、表示レベルの前記電源電圧を印加することを特徴とする請求項５記載の表示装置。
【請求項７】
前記指定領域は複数であり、該各指定領域は、前記書込領域から所定のグループ数だけ離間しているとともに、互いに前記所定のグループ数だけ離間していることを特徴とする請求項５記載の表示装置。
【請求項８】
前記表示パネルにおける前記各表示画素は、発光素子と、前記発光素子の発光動作を制御する駆動回路と、を備え、
前記駆動回路は、少なくとも前記電源駆動部から前記電源電圧が印加される電源線と前記発光素子との間に、前記データ駆動部から供給された前記駆動信号に基づいて所定の電流値を有する発光駆動電流を生成し、前記発光素子に供給する発光制御素子を有することを特徴とする請求項５乃至７のいずれかに記載の表示装置。
【請求項９】
前記発光素子は、有機エレクトロルミネッセンス素子であることを特徴とする請求項８記載の表示装置。
【請求項１０】
複数の行及び複数の列に沿って複数の表示画素が配列された表示パネルを備えて、該表示パネルに表示データに基づく画像情報を表示する表示装置の表示駆動方法において、
前記表示パネルの各行に配列された前記各表示画素に選択信号を順次印加して、各行の前記各表示画素を順次選択状態に設定し、
前記表示データに基づく駆動信号を前記選択状態に設定された各行の前記各表示画素へ順次供給して、該各表示画素に前記駆動信号を書き込む書込動作を行い、
前記表示パネルの前記複数の行を、２行以上の所定の数の行を１つのグループとする複数のグループに分け、前記選択状態に設定され、前記書込動作が行われる行を含む、前記複数のグループにおける１つの前記グループを、当該グループに含まれる前記各表示画素へ前記書込動作が行われる期間に亘って書込領域に設定し、
前記書込領域に設定する前記グループを、前記各行の前記各表示画素への前記選択信号の印加動作に対応して、当該グループに含まれる前記各表示画素への前記書込動作が終了する毎に順次移動させ、
前記書込領域に設定した前記グループから１以上のグループ数だけ離間して配設された、前記複数のグループにおける少なくとも１つの前記グループを指定領域に設定し、
前記書込領域の移動に応じて、前記指定領域を順次移動させ、
順次移動する前記書込領域及び前記指定領域に設定した前記グループに含まれる行に対応する前記各表示画素に当該各表示画素を非表示動作させるための電源電圧を印加して、該各表示画素を同時に非表示動作状態とし、前記書込領域及び前記指定領域以外の行に対応する前記各表示画素に表示レベルの電源電圧を印加して表示動作状態とすることを特徴とする表示装置の表示駆動方法。
【請求項１１】
前記指定領域は複数であり、該各指定領域は、前記書込領域から所定のグループ数だけ離間しているとともに、互いに前記所定のグループ数だけ離間した領域に設定されることを特徴とする請求項１０記載の表示装置の表示駆動方法。

【発明の詳細な説明】
【技術分野】
【０００１】
本発明は、表示駆動装置、表示装置及びその表示駆動方法に関し、特に、アクティブマトリックス型の駆動方式に対応した表示パネルを駆動するための表示駆動装置、及び、該表示駆動装置を備えた表示装置、並びに、その表示駆動方法に関する。
【背景技術】
【０００２】
近年、パーソナルコンピュータや映像機器のモニタやディスプレイとして、また、携帯電話やデジタルオーティオプレーヤー、デジタルカメラ、電子辞書等の携帯機器（モバイル機器）の表示デバイスとして、液晶表示装置（ＬＣＤ）や、有機エレクトロルミネッセンス素子（有機ＥＬ素子）等の自発光素子を２次元配列した表示パネルを備えた表示装置（発光素子型の表示装置）が広く適用されている。
【０００３】
特に、アクティブマトリックス型の駆動方式を適用した発光素子型の表示装置においては、液晶表示装置に比較して、表示応答速度が速く、視野角依存性も小さいという優れた表示特性を有しているとともに、液晶表示装置のようにバックライトや導光板を必要としないという装置構成上の特徴を有している。そのため、次世代の表示デバイスとして、今後様々な電子機器への適用が期待されている。
【０００４】
一般に、液晶表示装置や発光素子型の表示装置のようなアクティブマトリックス型の表示装置における駆動制御方法は、各行の表示画素を順次選択状態に設定し、当該選択タイミングに同期して、表示データに応じた階調電圧を印加（表示データを書込み）することにより、各表示画素に保持される電圧成分に基づいて階調制御が行われる。すなわち、液晶表示装置においては液晶分子の配向状態が制御され、発光素子型の表示装置においては、発光素子の発光輝度が制御されることにより、表示パネルに表示データに応じた所望の画像情報が表示される。
【０００５】
ここで、この表示動作を、次の表示データが各行の表示画素に書き込まれるまで、例えば１フレーム期間継続して実行した場合（ホールド型の表示駆動制御）には、１フレーム期間のほとんどの期間において、表示データに応じた表示動作（発光動作）が継続されることになるため、静止画像の表示動作においてはちらつきが生じにくいという特性を有しているものの、動画像の表示動作においては前のフレーム期間に表示された画像情報が残像として視認されやすくなり、画像情報のボケやにじみを生じ、表示画質の劣化を招くという問題を有していた。
【０００６】
そこで、液晶表示装置や発光素子型の表示装置において、上述した動画像の表示動作におけるボケやにじみを抑制して表示画質を向上させる表示駆動方法として、例えば１フレーム期間に、上記表示データに応じた表示動作（発光動作期間）に加え、各行の表示画素を非表示又は低階調表示状態に設定する黒表示動作（非発光動作期間）を実行することにより、動画像の表示品質を向上させる手法（擬似インパルス型の表示駆動方法）が知られている。このような表示装置の駆動制御方法については、例えば、特許文献１等に詳しく記載されている。
【０００７】
【特許文献１】特開２００４−２６４４８１号公報  （第１７頁〜第１８頁、図６）
【発明の開示】
【発明が解決しようとする課題】
【０００８】
上述した擬似インパルス型の表示駆動方法においては、例えば３０Ｈｚ程度の比較的低いフレーム周波数で駆動した場合、表示（発光）領域中に挿入される黒表示（非発光）領域がフリッカーとして人間の視覚に認識されてしまうため、一般に、６０Ｈｚ以上の比較的高いフレーム周波数で駆動する手法が適用されている。
【０００９】
しかしながら、フレーム周波数（すなわち、表示装置の駆動周波数）を高く設定した場合であっても、人間の視線が素早く移動した場合等においては、フリッカーや表示領域の境界（発光領域と非発光領域の境界）が認識されてしまう場合があるという問題を有していた。また、ドライバコストの上昇を招いたり、表示パネルの仕様が制約されたりする等の問題も有していた。
【００１０】
そこで、本発明は、上述した問題点に鑑み、アクティブマトリックス型の駆動方式に対応した表示パネルにおいて、フリッカーや表示領域の境界が認識されにくくすることができるとともに、製品コストを抑制することができる表示駆動装置、及び、該表示駆動装置を備えた表示装置、並びに、その表示駆動方法を提供することを目的とする。
【課題を解決するための手段】
【００１１】
請求項１記載の発明は、複数の行及び複数の列に沿って複数の表示画素が２次元配列された表示パネルを表示データに基づいて表示駆動する表示駆動装置であって、各行に配列された前記各表示画素に選択信号を順次印加して、各行の前記各表示画素を順次選択状態に設定する選択駆動部と、前記表示データに基づく駆動信号を生成し、前記選択状態に設定された各行の前記各表示画素に供給して、該各表示画素に前記駆動信号を書き込む書込動作を行うデータ駆動部と、前記表示パネルの前記複数の行を、２行以上の所定の数の行を１つのグループとする複数のグループに分け、前記選択駆動部により前記選択状態に設定され、前記書込動作が行われる行を含む、前記複数のグループにおける１つの前記グループを、当該グループに含まれる前記各表示画素へ前記書込動作が行われる期間に亘って書込領域に設定し、該書込領域に設定する前記グループを、前記選択駆動部による前記各行の前記各表示画素への前記選択信号の印加動作に対応して、当該グループに含まれる前記各表示画素への前記書込動作が終了する毎に順次移動させ、前記書込領域に設定した前記グループから１以上のグループ数だけ離間して配設され、前記書込領域の移動に対応して順次移動する、前記複数のグループにおける少なくとも１つの前記グループを指定領域に設定し、前記各表示画素を動作させるための電源電圧を供給し、前記書込領域に設定する前記グループに含まれる行に対応する前記各表示画素、及び、前記指定領域に設定する前記グループに含まれる行に対応する前記各表示画素を同時に非表示動作させる電源駆動部と、を備えることを特徴とする。
【００１２】
請求項２記載の発明は、請求項１記載の表示駆動装置において、前記電源駆動部は、前記表示パネルに配列された前記表示画素の行数よりも少ない数のシフト信号を順次出力するシフトレジスタ回路と、前記シフト信号を、前記表示画素を非表示動作させるための前記電源電圧に応じた電圧レベルに変換して、前記選択信号の印加タイミングに同期して、前記書込領域及び前記指定領域に設定する前記グループに含まれる行に対応する前記各表示画素に同時に印加する出力回路と、を有することを特徴とする。
請求項３記載の発明は、請求項２記載の表示駆動装置において、前記電源駆動部は、前記選択信号の印加タイミングに同期して、前記出力回路より、前記書込領域及び前記指定領域以外の行に対応する前記各表示画素に、表示レベルの前記電源電圧を印加することを特徴とする。
請求項４記載の発明は、請求項１記載の表示駆動装置において、前記指定領域は複数であり、該各指定領域は、前記書込領域から所定のグループ数だけ離間しているとともに、互いに前記所定のグループ数だけ離間していることを特徴とする。
【００１３】
請求項５記載の発明は、複数の行及び複数の列に沿って複数の表示画素が配列された表示パネルを備えて、該表示パネルに表示データに基づく画像情報を表示する表示装置において、前記表示パネルの各行に配列された前記各表示画素に選択信号を順次印加して、各行の前記各表示画素を順次選択状態に設定する選択駆動部と、前記表示データに基づく駆動信号を生成し、前記選択状態に設定された各行の前記各表示画素に供給して、該各表示画素に前記駆動信号を書き込む書込動作を行うデータ駆動部と、前記表示パネルの前記複数の行を、２行以上の所定の数の行を１つのグループとする複数のグループに分け、前記選択駆動部により前記選択状態に設定され、前記書込動作が行われる行を含む、前記複数のグループにおける１つの前記グループを、当該グループに含まれる前記各表示画素へ前記書込動作が行われる期間に亘って書込領域に設定し、該書込領域に設定する前記グループを、前記選択駆動部による前記各行の前記各表示画素への前記選択信号の印加動作に対応して、当該グループに含まれる前記各表示画素への前記書込動作が終了する毎に順次移動させ、前記書込領域に設定した前記グループから１以上のグループ数だけ離間して配設され、前記書込領域の移動に対応して順次移動する、前記複数のグループにおける少なくとも１つの前記グループを指定領域に設定し、前記各表示画素を動作させるための電源電圧を供給し、前記書込領域に設定する前記グループに含まれる行に対応する前記各表示画素、及び、前記指定領域に設定する前記グループに含まれる行に対応する前記各表示画素を同時に非表示動作させる電源駆動部と、
を有する表示駆動装置を備えることを特徴とする。
【００１４】
請求項６記載の発明は、請求項５記載の表示装置において、前記電源駆動部は、前記選択信号の印加タイミングに同期して、前記書込領域及び前記指定領域以外の行に対応する前記各表示画素に、表示レベルの前記電源電圧を印加することを特徴とする。
請求項７記載の発明は、請求項５記載の表示装置において、前記指定領域は複数であり、該各指定領域は、前記書込領域から所定のグループ数だけ離間しているとともに、互いに前記所定のグループ数だけ離間していることを特徴とする。
請求項８記載の発明は、請求項５乃至７のいずれかに記載の表示装置において、前記表示パネルにおける前記各表示画素は、発光素子と、前記発光素子の発光動作を制御する駆動回路と、を備え、前記駆動回路は、少なくとも前記電源駆動部から前記電源電圧が印加される電源線と前記発光素子との間に、前記データ駆動部から供給された前記駆動信号に基づいて所定の電流値を有する発光駆動電流を生成し、前記発光素子に供給する発光制御素子を有することを特徴とする。
請求項９記載の発明は、請求項８記載の表示装置において、前記発光素子は、有機エレクトロルミネッセンス素子であることを特徴とする。
【００１５】
請求項１０記載の発明は、複数の行及び複数の列に沿って複数の表示画素が配列された表示パネルを備えて、該表示パネルに表示データに基づく画像情報を表示する表示装置の表示駆動方法において、前記表示パネルの各行に配列された前記各表示画素に選択信号を順次印加して、各行の前記各表示画素を順次選択状態に設定し、前記表示データに基づく駆動信号を前記選択状態に設定された各行の前記各表示画素へ順次供給して、該各表示画素に前記駆動信号を書き込む書込動作を行い、前記表示パネルの前記複数の行を、２行以上の所定の数の行を１つのグループとする複数のグループに分け、前記選択状態に設定され、前記書込動作が行われる行を含む、前記複数のグループにおける１つの前記グループを、当該グループに含まれる前記各表示画素へ前記書込動作が行われる期間に亘って書込領域に設定し、前記書込領域に設定する前記グループを、前記各行の前記各表示画素への前記選択信号の印加動作に対応して、当該グループに含まれる前記各表示画素への前記書込動作が終了する毎に順次移動させ、前記書込領域に設定した前記グループから１以上のグループ数だけ離間して配設された、前記複数のグループにおける少なくとも１つの前記グループを指定領域に設定し、前記書込領域の移動に応じて、前記指定領域を順次移動させ、順次移動する前記書込領域及び前記指定領域に設定した前記グループに含まれる行に対応する前記各表示画素に当該各表示画素を非表示動作させるための電源電圧を印加して、該各表示画素を同時に非表示動作状態とし、前記書込領域及び前記指定領域以外の行に対応する前記各表示画素に表示レベルの電源電圧を印加して表示動作状態とすることを特徴とする。
【００１６】
請求項１１記載の発明は、請求項１０記載の表示装置の表示駆動方法において、前記指定領域は複数であり、該各指定領域は、前記書込領域から所定のグループ数だけ離間しているとともに、互いに前記所定のグループ数だけ離間した領域に設定されることを特徴とする。
【発明の効果】
【００１７】
本発明に係る表示駆動装置、表示装置及びその表示駆動方法によれば、アクティブマトリックス型の駆動方式に対応した表示パネルにおいて、フリッカーや表示領域の境界が認識されにくくすることができるとともに、製品コストを抑制することができる。
【発明を実施するための最良の形態】
【００１８】
以下、本発明に係る表示駆動装置、表示装置及びその表示駆動方法について、実施の形態を示して詳しく説明する。
＜第１の実施形態＞
＜表示装置＞
まず、本発明に係る表示装置の概略構成について、図面を参照して説明する。
図１は、本発明に係る表示装置の全体構成の一例を示す概略ブロック図であり、図２は、第１の実施形態に係る表示装置に適用される表示パネル及びその周辺回路（選択ドライバ、データドライバ、電源ドライバ）の一例を示す要部構成図である。
【００１９】
なお、以下に示す実施形態においては、表示パネルとして、発光素子を備えた複数の表示画素を２次元配列した構成を有し、各表示画素が表示データ（映像データ）に応じた輝度階調で発光動作することにより画像情報を表示する発光素子型の表示装置について説明するが、本発明はこれに限定されるものではなく、液晶表示装置のように、各表示画素が表示データに応じて階調制御（階調状態に設定）され、透過光や反射光により所望の画像情報を階調表示（表示動作）する表示装置であってもよい。
【００２０】
図１、図２に示すように、本実施形態に係る表示装置１００は、概略、行、列方向に相互に直交するように配設された複数の選択ラインＳＬと複数のデータラインＤＬとの各交点近傍に、後述する画素駆動回路ＤＣ及び発光素子（有機ＥＬ素子ＯＬＥＤ）を備えた複数の表示画素ＥＭが配列された表示パネル１１０と、該表示パネル１１０の各選択ラインＳＬに接続され、各選択ラインＳＬごとに所定のタイミングで選択レベル（ハイレベル）の選択信号Ｖselを順次印加することにより、行ごとの表示画素ＥＭを選択状態に設定する選択ドライバ（選択駆動部）１２０と、各行の選択ラインＳＬに並行に配設された複数の電源ラインＶＬに接続され、各電源ラインＶＬごとに所定のタイミングで電源電圧Ｖscを印加する電源ドライバ（電源駆動部）１３０と、表示パネル１１０の各データラインＤＬに接続され、表示データに応じた階調信号（階調電流Ｉdata；駆動信号）を、各データラインＤＬを介して表示画素ＥＭへ供給するデータドライバ（データ駆動部）１４０と、後述する表示信号生成回路１６０から供給されるタイミング信号に基づいて、少なくとも上記選択ドライバ１２０及び電源ドライバ１３０、データドライバ１４０の動作状態を制御して、表示パネル１１０における所定の表示駆動制御を実行するための選択制御信号及び電源制御信号、データ制御信号を生成して出力するシステムコントローラ１５０と、例えば、表示装置１００の外部から供給される映像信号に基づいて、表示データ（輝度階調データ）を生成してデータドライバ１４０に供給するとともに、該表示データに基づいて表示パネル１１０に所定の画像情報を表示するためのタイミング信号（システムクロック等）を抽出、又は、生成してシステムコントローラ１５０に供給する表示信号生成回路１６０と、を備えて構成されている。
【００２１】
以下、上記各構成について具体的に説明する。
（表示パネル・表示画素）
図３は、本実施形態に係る表示装置に適用される表示画素（画素駆動回路及び発光素子）の一実施形態を示す回路構成図である。なお、本実施形態においては、表示画素として、表示データに応じた電流値を有する階調電流を供給することにより、各表示画素に設けられた発光素子に表示データに応じた電流値を有する発光駆動電流を流して、所望の輝度階調で発光動作（表示動作）させる電流指定型の階調制御方式に対応した回路構成（画素駆動回路）を備えた場合について説明するが、本発明はこれに限定されるものではなく、例えば、表示データに応じた電圧値を有する階調電圧を印加することにより、各表示画素の発光素子に表示データに応じた電流値を有する発光駆動電流を流して、所望の輝度階調で発光動作させる電圧指定型の階調制御方式に対応した回路構成を備えたものであってもよい。
【００２２】
本実施形態に係る表示装置１００に適用される表示パネル１１０は、行、列方向に２次元配列（ｎ行×ｍ列；ｎ、ｍは正の整数）された複数の表示画素ＥＭが、後述する表示駆動方法に示すように、選択状態に設定された各行の表示画素ＥＭに対して、非表示状態（非発光状態）で表示データの書込動作が順次実行されるとともに、当該書込動作に同期して、当該書込動作が実行される行（便宜的に「書込ライン」と記す；書込行）から所定の行数だけ離間した行（便宜的に「指定ライン」と記す；指定行）の表示画素ＥＭを非表示状態（非発光状態）とし、その他の（書込動作がすでに終了している）行の表示画素ＥＭを表示状態（発光状態）に設定するように制御される。ここで、表示画素ＥＭの表示状態（発光状態）又は非表示状態（非発光状態）は、各行ごとの表示画素ＥＭに対して供給される電源電圧Ｖscを所定の表示レベル又は非表示レベルに切り換えることにより、もしくは、オン（供給）又はオフ（遮断）制御することにより設定される。
【００２３】
また、本実施形態に係る表示パネル１１０に配列される表示画素ＥＭは、例えば、図３に示すように、概略、選択ドライバ１２０から印加される選択信号Ｖselに基づいて表示画素ＥＭを選択状態に設定し、当該選択状態においてデータドライバ１４０から供給される階調電流Ｉdataを取り込み、該階調信号に応じた発光駆動電流を生成する画素駆動回路ＤＣと、該画素駆動回路ＤＣから供給される発光駆動電流に基づいて、所定の輝度階調で発光動作する周知の有機ＥＬ素子（電流制御型の発光素子）ＯＬＥＤと、を備えた構成を適用することができる。
【００２４】
本実施形態に係る画素駆動回路ＤＣは、例えば図３に示すように、ゲート端子が選択ラインＳＬに、ドレイン端子が電源ラインＶＬに、ソース端子が接点Ｎ１１に各々接続されたトランジスタＴｒ１１と、ゲート端子が選択ラインＳＬに、ソース端子がデータラインＤＬに、ドレイン端子が接点Ｎ１２に各々接続されたトランジスタＴｒ１２と、ゲート端子が接点Ｎ１１に、ドレイン端子が電源電圧ライン（電源線）ＶＬに、ソース端子が接点Ｎ１２に各々接続されたトランジスタ（発光制御素子）Ｔｒ１３と、接点Ｎ１１及び接点Ｎ１２間（トランジスタＴｒ１３のゲート−ソース間）に接続されたキャパシタＣｓと、を備えている。
【００２５】
有機ＥＬ素子ＯＬＥＤは、アノード端子（アノード電極）が上記画素駆動回路ＤＣの接点Ｎ１２に接続され、カソード端子（カソード電極）には所定の低電位の共通電圧Ｖcomが印加されている。ここで、共通電圧Ｖcomは、表示データに応じた階調信号（階調電流Ｉdata）が当該表示画素ＥＭ（画素駆動回路ＤＣ）に供給される書込動作期間においては、ローレベルに設定される電源電圧Ｖsc（＝Ｖｓ）と等電位であるか、あるいは、当該電源電圧Ｖscよりも高い電位であって、かつ、有機ＥＬ素子（発光素子）ＯＬＥＤに発光駆動電流が供給されて所定の輝度階調で発光動作する発光動作期間においては、ハイレベルに設定される電源電圧Ｖsc（＝Ｖｅ）よりも低電位となる、任意の電位（例えば、接地電位Ｖgnd）に設定されている（Ｖｓ≦Ｖcom＜Ｖｅ）。また、共通電圧Ｖcomは、表示パネル１１０にマトリクス状に配列された複数の表示画素ＥＭに対して共通に印加される。
【００２６】
なお、図３において、トランジスタＴｒ１１〜Ｔｒ１３については、特に限定するものではないが、例えば全て同一のチャネル型を有する周知の薄膜トランジスタ構造を有する電界効果型トランジスタを適用することができる。トランジスタＴｒ１１〜Ｔｒ１３は、アモルファスシリコン薄膜トランジスタであっても、ポリシリコン薄膜トランジスタであってもよい。
【００２７】
ここで、図３に示したように、トランジスタＴｒ１１〜Ｔｒ１３をｎチャネル型アモルファスシリコン薄膜トランジスタにより構成することにより、すでに確立されたアモルファスシリコン製造技術を適用して、動作特性（電子移動度等）が均一で安定したトランジスタからなる画素駆動回路を、比較的簡易な製造プロセスで製造することができる。また、キャパシタＣｓは、トランジスタＴｒ１３のゲート−ソース間に形成される寄生容量であってもよいし、該寄生容量に加えて接点Ｎ１１及び接点Ｎ１２間に容量素子を付加的に接続したものであってもよい。
【００２８】
また、上述した表示画素ＥＭにおいては、画素駆動回路ＤＣとして３個のトランジスタＴｒ１１〜Ｔｒ１３を備えた回路構成を示したが、本発明はこの実施形態に限定されるものではなく、２個以上のトランジスタを備えた他の回路構成を有するものであってもよい。また、画素駆動回路ＤＣにより発光駆動される発光素子として有機ＥＬ素子ＯＬＥＤを適用した場合を示したが、本発明はこれに限定されるものではなく、電流制御型の発光素子であれば、例えば、発光ダイオード等の他の発光素子であってもよい。さらに、本実施形態においては、画素駆動回路ＤＣにより電流制御型の発光素子を発光駆動する場合について説明するが、表示データに応じた電圧成分を生成して、電圧制御型の発光素子を発光駆動する構成や、液晶分子の配向状態を変化させる回路構成を有するものであってもよい。
【００２９】
（選択ドライバ）
選択ドライバ１２０は、システムコントローラ１５０から供給される選択制御信号に基づいて、各選択ラインＳＬに選択レベル（上述した表示画素ＥＭにおいては、ハイレベル）の選択信号Ｖselを印加することにより、各行の表示画素ＥＭを選択状態に設定する。具体的には、各行の選択ラインＳＬに選択信号Ｖselを印加する動作を、所定のタイミングで順次ずらして実行することにより、表示パネル１１０に配列された各行の表示画素ＥＭを順次選択状態に設定する。
【００３０】
ここで、選択ドライバ１２０は、例えば図２に示すように、後述するシステムコントローラ１５０から選択制御信号として供給される走査クロック信号ＳＣＫ及び走査スタート信号ＳＳＴに基づいて、各行の選択ラインＳＬに対応するシフト信号を順次出力する周知のシフトレジスタ１２１と、該シフトレジスタ１２１から出力されるシフト信号を所定の信号レベル（選択レベル）に変換して、システムコントローラ１５０から選択制御信号として供給される出力制御信号ＳＯＥに基づいて、各選択ラインＳＬに選択信号Ｖselとして出力する出力回路部（出力バッファ）１２２と、を備えている。
【００３１】
（電源ドライバ）
図４は、本実施形態に係る表示装置に適用される電源ドライバの一例を示す概略構成図である。
電源ドライバ１３０は、システムコントローラ１５０から供給される電源制御信号に基づいて、各行の表示画素ＥＭに対して、発光動作時（表示動作時）のみハイレベルの電源電圧Ｖsc（＝Ｖｅ）を当該行の電源ラインＶＬに印加し、非発光動作時（非表示動作時）にはローレベルの電源電圧Ｖsc（＝Ｖｓ）を印加する。
【００３２】
すなわち、本実施形態に係る表示装置においては、表示パネル１１０に２次元配列された複数の表示画素ＥＭのうち、表示データの書込動作のために上記選択ドライバ１２０により選択状態に設定された行（書込ライン）に対応する領域（書込領域）の表示画素ＥＭ、及び、当該書込動作が実行される行から所定の行数だけ離間した行（指定ライン）に対応する領域（指定領域）の表示画素ＥＭに対して、当該各行の電源ラインＶＬを介してローレベルの電源電圧Ｖsc（＝Ｖｓ）を同時に印加する動作が、表示パネル１１０の全ての行に対して順次実行される。これにより、表示データの書込動作が実行される書込ラインの表示画素ＥＭ、及び、当該行から所定の行数だけ離間した指定ラインの表示画素ＥＭが、当該書込動作期間中は非発光状態（非表示状態）に設定され、それ以外の（書込動作が終了した）全ての行の表示画素ＥＭに対しては、各行の電源ラインＶＬを介してハイレベルの電源電圧Ｖsc（＝Ｖｅ）が印加されて発光状態（階調表示状態）に設定される。
【００３３】
ここで、電源ドライバ１３０は、例えば図２に示すように、上述した選択ドライバ１２０と同様に、システムコントローラ１５０から電源制御信号として供給されるクロック信号ＶＣＫ及びスタート信号ＶＳＴに基づいて、各行の電源ラインＶＬに対応するシフト信号を順次出力する周知のシフトレジスタ回路１３１と、シフト信号を所定の電圧レベル（電圧値Ｖｅ、Ｖｓ）に変換して、システムコントローラ１５０から電源制御信号として供給される出力制御信号ＶＯＥに基づいて、各電源ラインＶＬに電源電圧Ｖscとして出力する出力回路部（出力バッファ）１３２と、を備えている。
【００３４】
特に、本実施形態においては、上述したように、表示データの書込動作が実行される行（書込ライン）の表示画素ＥＭ、及び、当該行から所定の行数だけ離間した行（指定ライン）の表示画素ＥＭに対して、ローレベルの電源電圧Ｖsc（＝Ｖｓ）が同時に印加されるように、例えば図４に示すように、シフトレジスタ回路１３１は、表示パネル１１０に配設される電源ラインＶＬの本数（行数ｎと同等）の１／２に相当する数（ｎ／２）のシフト信号の出力端子を有し、また、出力回路部１３２は、各行の電源ラインＶＬに対応してｎ個の増幅器ＡＰを有し、シフトレジスタ回路１３１から出力される各シフト信号が分岐された信号線を介して、ｎ／２−１行だけ離間した、ｘ行目とｎ／２＋ｘ行目に対応する各増幅器ＡＰに入力されて所定の電圧値に増幅（電圧レベルに変換）され、ｘ行目及びｎ／２＋ｘ行目の電源ラインＶＬに印加されるように構成されている。ここで、ｘは１〜ｎ／２の範囲の整数である。また、図示を省略したが、出力回路部１３２には、出力制御信号ＶＯＥに基づいて、各増幅器ＡＰの出力電圧（電源電圧Ｖsc）を各行の電源ラインＶＬに出力するスイッチング手段が設けられている。
【００３５】
すなわち、シフトレジスタ回路１３１から出力される１番目のシフト信号は、１行目及びｎ／２＋１行目に対応する増幅器ＡＰに入力され、２番目のシフト信号は、２行目及びｎ／２＋２行目に対応する増幅器ＡＰに入力され、３番目のシフト信号は、３行目及びｎ／２＋３行目に対応する増幅器ＡＰに入力され、・・・ｘ番目のシフト信号は、ｘ行目及びｎ／２＋ｘ行目に対応する増幅器ＡＰに入力され、・・・ｎ／２番目のシフト信号は、ｎ／２行目及びｎ（＝ｎ／２＋ｎ／２）行目に対応する増幅器ＡＰに入力される。
【００３６】
なお、図４においては、表示データの書込動作が実行される行（例えばｘ行目）の表示画素ＥＭに対して、ｎ／２−１行だけ離間した行（ｎ／２＋ｘ行目）の表示画素ＥＭにローレベルの電源電圧Ｖsc（＝Ｖｓ）を印加して非発光状態に設定する場合の電源ドライバの構成について示したが、本発明はこれに限定されるものではなく、ｎ／２−１行と異なり、ｎ／２−１行に近似する行数だけ離間した行の表示画素ＥＭにローレベルの電源電圧Ｖscを印加するものであってもよい。
【００３７】
（データドライバ）
図５は、本実施形態に係る表示装置に適用可能なデータドライバの一例を示す概略ブロック図である。なお、図５に示すデータドライバの内部構成については、表示データに応じた電流値を有する階調電流を生成することができる一例を示したものに過ぎず、本発明はこれに限定されるものではない。
【００３８】
データドライバ１４０は、概略、図１、図２に示すように、システムコントローラ１５０から供給されるデータ制御信号に基づいて、後述する表示信号生成回路１６０から供給される、デジタル信号からなる表示データ（輝度階調データ）を１行分ごとに所定のタイミングで順次取り込んで保持し、該表示データの階調値に対応する電流値を有する階調電流Ｉdataを生成して、書込動作期間に選択状態に設定された行の表示画素ＥＭに対して、各列のデータラインＤＬを介して一斉に供給する。
【００３９】
データドライバ１４０は、例えば図５に示すように、システムコントローラ１５０から供給されるデータ制御信号（シフトクロック信号ＣＬＫ、サンプリングスタート信号ＳＴＲ）に基づいて、順次シフト信号を出力するシフトレジスタ回路１４１と、該シフト信号の入力タイミングに基づいて、表示信号生成回路１６０から供給される１行分の表示データＤ０〜Ｄｍを順次取り込むデータレジスタ回路１４２と、データ制御信号（データラッチ信号ＳＴＢ）に基づいて、データレジスタ回路１４２により取り込まれた１行分の表示データＤ０〜Ｄｍを保持するデータラッチ回路１４３と、図示を省略した電源供給手段から供給される階調基準電圧Ｖ０〜ＶＰに基づいて、上記保持された表示データＤ０〜Ｄｍを、所定のアナログ信号電圧（階調電圧Ｖpix）に変換するＤ／Ａコンバータ１４４と、アナログ信号電圧に変換された表示データに対応する階調電流Ｉdataを生成し、システムコントローラ１５０から供給されるデータ制御信号（出力イネ−ブル信号ＯＥ）に基づくタイミングで、当該表示データに対応する列のデータラインＤＬに一斉に出力する電圧電流変換・階調電流供給回路１４５と、を備えた構成を有している。
【００４０】
（システムコントローラ）
システムコントローラ１５０は、少なくとも、選択ドライバ１２０及び電源ドライバ１３０、データドライバ１４０の各々に対して、動作状態を制御するタイミング制御信号として、選択制御信号及び電源制御信号、データ制御信号を生成して出力することにより、各ドライバを所定のタイミングで動作させて、所定の電圧レベルを有する選択信号Ｖsel及び電源電圧Ｖsc、並びに、表示データに応じた階調電流Ｉdataを生成して出力させ、各表示画素ＥＭ（画素駆動回路ＤＣ）における駆動制御動作（非発光動作である書込動及び保持動作、発光動作）を連続的に実行させて、映像信号に基づく所定の画像情報を表示パネル１１０に表示させる制御（後述する表示装置の表示駆動制御）を行う。
【００４１】
（表示信号生成回路）
表示信号生成回路１６０は、例えば、表示装置１００の外部から供給される映像信号から輝度階調信号成分を抽出し、表示パネル１１０の１行分ごとに、該輝度階調信号成分をデジタル信号からなる表示データ（輝度階調データ）としてデータドライバ１４０のデータレジスタ回路１４２に供給する。ここで、上記映像信号が、テレビ放送信号（コンポジット映像信号）のように、画像情報の表示タイミングを規定するタイミング信号成分を含む場合には、表示信号生成回路１６０は、上記輝度階調信号成分を抽出する機能のほか、タイミング信号成分を抽出してシステムコントローラ１５０に供給する機能を有するものであってもよい。この場合においては、上記システムコントローラ１５０は、表示信号生成回路１６０から供給されるタイミング信号に基づいて、選択ドライバ１２０や電源ドライバ１３０、データドライバ１４０に対して個別に供給する各制御信号を生成する。
【００４２】
＜表示画素の駆動方法＞
次に、本実施形態において、上述した表示パネルに適用される表示画素（図３参照）の基本動作について説明する。
図６は、本実施形態に係る表示装置に適用される表示画素における基本動作を示すタイミングチャートである。図６においては、表示パネル１１０に２次元配列（ｎ行×ｍ列からなるマトリクス状に配列）された表示画素ＥＭのうち、特定の表示画素ＥＭに着目して動作を説明する。また、図７は、本実施形態に係る表示画素における書込動作及び発光動作を示す概念図であり、図８は、本実施形態に係る表示画素における非発光動作を示す概念図である。
【００４３】
本実施形態に適用される表示画素ＥＭ（画素駆動回路ＤＣ）における有機ＥＬ素子ＯＬＥＤの発光駆動制御は、概略、図６（ａ）に示すように、所定の１処理サイクル期間Ｔcyc内に、選択ラインＳＬに接続された表示画素ＥＭを選択状態に設定して、表示データに応じた電流値を有する階調電流Ｉdataを供給することにより、画素駆動回路ＤＣに設けられた発光駆動用のトランジスタＴｒ１３のゲート−ソース間（キャパシタＣｓ）に、当該表示データに応じた電圧成分を保持させる書込動作期間Ｔwrtと、当該書込動作期間ＴwrtにトランジスタＴｒ１３のゲート−ソース間に保持された電圧成分に基づいて、表示データに応じた電流値を有する発光駆動電流Ｉｂを有機ＥＬ素子ＯＬＥＤに流して、所定の輝度階調で発光動作させる発光動作期間（表示動作期間）Ｔemと、を含むように設定されている（Ｔcyc≧Ｔwrt＋Ｔem）。
【００４４】
また、本実施形態においては、上記書込動作が実行される行（書込ライン）の表示画素ＥＭが、図６（ａ）に示すように、上記書込動作期間Ｔwrt中、有機ＥＬ素子ＯＬＥＤを発光動作させない非発光状態に設定され、また、当該書込ラインから所定の行数だけ離間した行（指定ライン）の表示画素ＥＭも、図６（ｂ）に示すように、上記書込動作期間Ｔwrt中、有機ＥＬ素子ＯＬＥＤを発光動作させない非発光状態に設定される。
【００４５】
なお、本実施形態に係る１処理サイクル期間Ｔcycは、例えば、表示画素ＥＭが１フレーム（１画面）の画像のうちの１画素分の画像情報を表示するのに要する期間に設定される。すなわち、複数の表示画素ＥＭを行方向及び列方向に２次元配列した表示パネル１１０に、１フレームの画像を表示する場合、上記１処理サイクル期間Ｔcycは、１行分の表示画素ＥＭが１フレームの画像のうちの１行分の画像を表示するのに要する期間に設定される。詳しくは、後述する表示装置の表示駆動方法において説明する。
【００４６】
（書込動作）
まず、表示画素ＥＭにおける書込動作（書込動作期間Ｔwrt）においては、図６に示すように、選択ドライバ１２０から選択ラインＳＬに対して、選択レベル（ハイレベル）の選択信号Ｖselを印加して当該表示画素ＥＭを選択状態に設定するとともに、電源ドライバ１３０から電源ラインＶＬに対して、ローレベルの電源電圧Ｖsc（＝Ｖｓ）を印加する。また、この選択タイミングに同期して、データドライバ１４０からデータラインＤＬに対して、表示データに応じた電流値を有する階調電流Ｉdataを供給する。
【００４７】
これにより、画素駆動回路ＤＣに設けられたトランジスタＴｒ１１及びＴｒ１２がオン動作して、ローレベルの電源電圧ＶscがトランジスタＴｒ１１を介してトランジスタＴｒ１３のゲート端子（接点Ｎ１１；キャパシタＣｓの一端側）に印加されるとともに、トランジスタＴｒ１３のソース端子（接点Ｎ１２；キャパシタＣｓの他端側）がトランジスタＴｒ１２を介して、データラインＤＬに電気的に接続される。
【００４８】
ここで、本実施形態においては、データラインＤＬに供給される階調電流Ｉdataは、各表示画素に書き込まれる表示データに含まれる輝度階調値に応じて負極性又は正極性を有する電流値に設定される。負極性の電流値に設定された場合には、表示画素ＥＭからデータラインＤＬを介してデータドライバ１４０方向に階調電流Ｉdataが引き抜かれる（引き込む）ように流れ、一方、正極性の電流値に設定された場合には、データドライバ１４０からデータラインＤＬを介して表示画素ＥＭ方向に階調電流Ｉdataが押し込まれる（流し込む）ように流れる。以下の説明では、表示画素ＥＭの基本動作として負極性の電流値を設定して表示画素ＥＭからデータラインＤＬを介してデータドライバ１４０方向に階調電流Ｉdataを引き込む場合について説明する。
【００４９】
このように、データラインＤＬに負極性の電流値を有する階調電流Ｉdataが供給され、データラインＤＬ側からデータドライバ１４０方向に階調電流Ｉdataを引き込む動作が行われることにより、ローレベルの電源電圧Ｖscよりもさらに低電位の電圧レベルがトランジスタＴｒ１３のソース端子（接点Ｎ１２；キャパシタＣｓの他端側）に印加される。
【００５０】
したがって、接点Ｎ１１及びＮ１２間（トランジスタＴｒ１３のゲート−ソース間）に電位差が生じることによりトランジスタＴｒ１３がオン動作して、図７（ａ）に示すように、電源ラインＶＬからトランジスタＴｒ１３、接点Ｎ１２、トランジスタＴｒ１２、データラインＤＬを介してデータドライバ１４０方向に、階調電流Ｉdataに対応した書込電流Ｉａが流れる。
【００５１】
このとき、キャパシタＣｓには、接点Ｎ１１及びＮ１２間（薄膜トランジスタのＴｒ１３のゲート−ソース間）に生じた電位差に対応する電荷が蓄積され、電圧成分として保持される（図６中、キャパシタＣｓの両端電位Ｖｃ参照）。また、電源ラインＶＬには、低電位の共通電圧Ｖcom（接地電位Ｖgnd）以下の電圧レベルを有する電源電圧Ｖsc（＝Ｖｓ）が印加され、さらに、書込電流ＩａがデータラインＤＬを介してデータドライバ１４０方向に流れるように制御されていることから、有機ＥＬ素子ＯＬＥＤのアノード端子（接点Ｎ１２）に印加される電位はカソード端子の電位（共通電圧Ｖcom）よりも低くなり、有機ＥＬ素子ＯＬＥＤには電流が流れず発光動作は行われない（非発光動作）。
【００５２】
（発光動作）
次いで、書込動作期間Ｔwrt終了後の発光動作（発光動作期間Ｔem）においては、図６に示すように、選択ドライバ１２０から選択ラインＳＬに対して、非選択レベル（ローレベル）の選択信号Ｖselを印加して当該表示画素ＥＭを非選択状態に設定するとともに、電源ドライバ１３０から電源ラインＶＬに対して、ハイレベルの電源電圧Ｖsc（＝Ｖｅ）を印加する。また、この非選択タイミングに同期して、データドライバ１４０からの階調電流Ｉdataの供給を遮断して、当該階調電流Ｉdataの引き込み動作を停止する。
【００５３】
これにより、画素駆動回路ＤＣに設けられたトランジスタＴｒ１１及びＴｒ１２がオフ動作して、トランジスタＴｒ１３のゲート端子（接点Ｎ１１；キャパシタＣｓの一端側）への電源電圧Ｖscの印加が遮断されるとともに、トランジスタＴｒ１３のソース端子（接点Ｎ１２；キャパシタＣｓの他端側）への階調電流Ｉdataの引き込み動作に起因する電圧レベルの印加が遮断されるので、キャパシタＣｓには、上述した書込動作期間Ｔwrtにおいて蓄積された電荷が保持される。
【００５４】
このように、接点Ｎ１１及びＮ１２間（トランジスタのＴｒ１３のゲート−ソース間；キャパシタＣｓの両端）の電位差が保持されることになり、トランジスタＴｒ１３はオン状態を維持する。また、電源ラインＶＬには、共通電圧Ｖcom（接地電位Ｖgnd）よりも高電位の電源電圧Ｖscが印加されるので、有機ＥＬ素子ＯＬＥＤのアノード端子（接点Ｎ１２）に印加される電位はカソード端子の電位（接地電位）よりも高くなる。
【００５５】
したがって、図７（ｂ）に示すように、電源ラインＶＬからトランジスタＴｒ１３、接点Ｎ１２を介して、有機ＥＬ素子ＯＬＥＤに順バイアス方向に所定の発光駆動電流Ｉｂが流れ、有機ＥＬ素子ＯＬＥＤが発光動作する。ここで、キャパシタＣｓにより保持される電圧成分（キャパシタＣｓの両端電位Ｖｃ）は、トランジスタＴｒ１３において階調電流Ｉdataに対応する書込電流Ｉａを流す場合の電位差に相当するので、有機ＥＬ素子ＯＬＥＤに流れる発光駆動電流Ｉｂは、上記書込電流Ｉａと略同等の電流値（Ｉｂ≒Ｉａ）を有することになる。
【００５６】
これにより、書込動作期間Ｔwrtに書き込まれた表示データ（階調電流Ｉdata）に対応する電圧成分に基づいて、発光動作期間Ｔem中、トランジスタＴｒ１３を介して発光駆動電流Ｉｂが継続的に流れることになり、有機ＥＬ素子ＯＬＥＤは当該表示データに応じた輝度階調で発光する動作を継続する。
【００５７】
（非発光動作）
また、上記書込動作が実行される表示画素ＥＭの行（書込ライン）から所定の行数だけ離間した行（指定ライン）の表示画素ＥＭにおいて実行される非発光動作においては、図６（ｂ）に示すように、選択ドライバ１２０から選択ラインＳＬに対して、非選択レベル（ローレベル）の選択信号Ｖselを印加して当該表示画素ＥＭを非選択状態に設定するとともに、図４に示した電源ドライバ１３０から電源ラインＶＬに対して、ローレベルの電源電圧Ｖsc（＝Ｖｓ）を印加する。
【００５８】
これにより、画素駆動回路ＤＣに設けられたトランジスタＴｒ１１及びＴｒ１２がオフ動作して、トランジスタＴｒ１３のゲート端子（接点Ｎ１１；キャパシタＣｓの一端側）への電源電圧Ｖscの印加が遮断されるとともに、トランジスタＴｒ１３のソース端子（接点Ｎ１２；キャパシタＣｓの他端側）とデータラインＤＬとの電気的な接続も遮断される。ここで、直前に上述した発光動作が実行されていた場合には、キャパシタＣｓには、当該発光動作に先立って実行された書込動作において蓄積された電荷が保持される。
【００５９】
そのため、接点Ｎ１１及びＮ１２間（トランジスタのＴｒ１３のゲート−ソース間；キャパシタＣｓの両端）に保持される電位差に基づいて、トランジスタＴｒ１３のオン、オフ状態が設定されることになるが、このトランジスタＴｒ１３の動作状態に関わらず、電源ラインＶＬにはローレベル（接地電位Ｖgnd以下）の電源電圧Ｖsc（＝Ｖｓ）が印加され、また、接点Ｎ１２がデータラインＤＬから遮断された状態に設定されていることから、有機ＥＬ素子ＯＬＥＤのアノード端子（接点Ｎ１２）に印加される電位はカソード端子の電位Ｖcom（共通電圧Ｖcom；接地電位Ｖgnd）に対して同等以下に設定されるので、有機ＥＬ素子ＯＬＥＤには電流が流れず、発光動作は行われない（非発光動作）。
【００６０】
＜表示装置の表示駆動方法＞
次に、本実施形態に係る表示装置における表示駆動方法（画像情報の表示動作）について説明する。
図９は、本実施形態に係る表示装置の表示駆動方法の一例を示すタイミングチャートであり、図１０は、本実施形態に係る表示装置の表示駆動方法を説明するための動作概念図ある。
【００６１】
本実施形態に係る表示装置１００の表示駆動方法は、表示パネル１１０に配列された各行ごとの表示画素ＥＭ（画素駆動回路ＤＣ）に対して、表示データに応じた階調電流Ｉdataを書き込む動作を全行について順次繰り返し、当該書込動作が実行される行（書込ライン）及び当該行から所定の行数だけ離間した行（指定ライン）の表示画素ＥＭを非発光動作させるとともに、他の行の表示画素ＥＭをすでに書き込まれた表示データ（階調電流Ｉdata）に応じた所定の輝度階調で発光動作させることにより、表示パネル１１０一画面分の画像情報を表示する。
【００６２】
本実施形態に係る表示駆動方法は、具体的には図９に示すように、１フレーム期間Ｔfr内の１走査期間（書込動作期間Ｔwrt）において、選択ドライバ１２０から表示パネル１１０の特定の行（例えば、ｉ行目；１≦ｉ≦ｎ）の選択ラインＳＬに対して、図６（ａ）に示したように、選択レベル（ハイレベル）の選択信号Ｖselを印加することにより、当該ｉ行の表示画素ＥＭを選択状態に設定する。
【００６３】
この選択タイミングに同期して、データドライバ１４０から表示データに応じた電流値を有する階調電流Ｉdataを、各データラインＤＬに供給することにより、当該ｉ行の各表示画素ＥＭの画素駆動回路ＤＣに設けられたトランジスタＴｒ１３のゲート−ソース端子間（キャパシタＣｓの両端）に、階調電流Ｉdataに応じた電圧成分が保持（電荷が蓄積）される。
【００６４】
ここで、ｉ行目の表示画素ＥＭに対する書込動作期間Ｔwrtにおいては、図４に示した電源ドライバ１３０により、図６（ａ）、（ｂ）に示したように、書込動作が行われているｉ行目の電源ラインＶＬ、及び、当該ｉ行から所定の行数（例えば、ｎ／２−１行）だけ離間したｎ／２＋ｉ行目の電源ラインＶＬに対して、ローレベルの電源電圧Ｖsc（＝Ｖｓ）が印加されることにより、ｉ行目及びｎ／２＋ｉ行目の表示画素ＥＭにおいて有機ＥＬ素子ＯＬＥＤに電流が流れないので非発光状態に設定される。なお、このとき、書込動作が実行されるｉ行から所定の行数（例えば、ｎ／２−１行）だけ離間したｎ／２＋ｉ行目の表示画素ＥＭには、図６（ｂ）に示したように、非選択レベル（ローレベル）の選択信号Ｖselが印加されて非選択状態に設定されている。
【００６５】
次いで、書込動作期間Ｔwrt終了後の発光動作期間Ｔemにおいては、図６（ａ）に示したように、選択ドライバ１２０から当該ｉ行の選択ラインＳＬに対して、非選択レベル（ローレベル）の選択信号Ｖselを印加することにより、当該ｉ行の各表示画素ＥＭを非選択状態に設定する。また、データドライバ１４０から各データラインＤＬへの階調電流Ｉdataの供給が遮断される。
【００６６】
そして、このタイミングに同期して、電源ドライバ１３０から当該ｉ行の電源ラインＶＬに対して、ハイレベルの電源電圧Ｖsc（＝Ｖｅ）が印加されることにより、ｉ行の各表示画素ＥＭ（発光駆動用のトランジスタＴｒ１３のゲート−ソース間）に充電された電圧成分に基づいて、表示データ（階調電流Ｉdata）に応じた発光駆動電流Ｉｂが有機ＥＬ素子ＯＬＥＤに供給されて、所定の輝度階調で発光動作が行われる。
【００６７】
また、このとき、発光動作が行われるｉ行から所定の行数（例えば、ｎ／２−１行）だけ離間したｎ／２＋ｉ行目の電源ラインＶＬには、図６（ｂ）に示したように、図４に示した電源ドライバ１３０により、ハイレベルの電源電圧Ｖsc（＝Ｖｅ）が印加されることにより、ｎ／２＋ｉ行の書込動作がすでに終了している場合には、各表示画素ＥＭ（発光駆動用のトランジスタＴｒ１３のゲート−ソース間）に充電された電圧成分に基づいて、表示データ（階調電流Ｉdata）に応じた輝度階調で有機ＥＬ素子ＯＬＥＤが発光動作する。
【００６８】
このような発光動作は、当該ｉ行について次の書込動作、又は、書込動作と同期して実行される非発光動作の開始タイミングまで継続して実行される。すなわち、表示パネル１１０にｎ行の表示画素ＥＭが配列されている場合、１フレーム期間Ｔfrにおいて、例えば１行目の表示画素ＥＭは、当該１行目及びｎ／２＋１行目の表示画素ＥＭへの書込動作期間Ｔwrt中、１行目及びｎ／２＋１行目の電源ラインＶＬに、電源ドライバ１３０からローレベルの電源電圧Ｖsc（＝Ｖｓ）が印加されて非発光状態に設定され、それ以外の期間では、電源ドライバ１３０からハイレベルの電源電圧Ｖsc（＝Ｖｅ）が印加されて発光状態に設定される。
【００６９】
そして、上述したような表示駆動動作を表示パネル１１０の全行について順次繰り返し実行するとともに、書込動作を各行の表示画素ＥＭについて相互に時間的に重ならないようにしつつ、発光動作を各行の表示画素ＥＭ間で一部時間的に重なるように設定することにより、図１０に示す動作概念図のように、書込動作を実行する行（書込ライン）と、当該行から所定行数だけ離れた行（指定ライン）が非発光状態に設定され、書込動作が順次次の行に移行することに伴って、非発光状態に設定された書込ラインと指定ラインが、発光状態に設定された表示パネル１１０の表示領域内を一定の間隔を保ちつつ下方に移動するように制御される（図１０（ａ）〜（ｅ）参照）。また、図１０（ｅ）に示すように、書込動作が実行される書込ラインがｎ／２行目に達し、指定ラインがｎ行目に達した後、ｎ／２＋１行目に書込動作が実行される場合には、図１０（ｆ）に示すように、指定ラインは表示パネル１１０の１行目に移動し、書込動作が順次次の行に移行することに伴って、書込ラインとの間隔を保ちつつ下方に移動するように制御される（図１０（ｆ）〜（ｊ）参照）。
【００７０】
このような表示装置の表示駆動方法によれば、書込ラインの表示画素に書込動作を実行する期間、及び、指定ラインに設定されている期間中、当該書込ライン及び指定ラインの表示画素（発光素子）は発光動作が行われず、非発光状態（非表示状態）に設定されるので、１フレーム期間のうち、一定期間のみ表示データに応じた輝度階調で発光動作する擬似インパルス型の表示駆動制御を実現することができる。
【００７１】
特に、本実施形態に係る表示駆動方法によれば、表示パネル１１０の表示領域に画像情報を表示する際のフレーム周波数を例えば「ｆ」とした場合、書込ライン及び指定ラインに設定される非発光領域が、発光状態に設定された表示領域内を移動する周波数は２倍の「２ｆ」に相当することになる。したがって、フレーム周波数を一般的な６０Ｈｚ以上の高い値から３０Ｈｚ程度の低い値に設定した場合であっても、表示領域に表示された画像情報の明暗変化の周波数を実質的に高くすることができるので、低いフレーム周波数であってもフリッカーが認識されにくい画像表示を実現することができる。また、フレーム周波数を低く設定することができるので、表示装置に適用するドライバ（表示駆動装置）の消費電力を低減させることができるとともに、コストを低減することができ、また、ドライバを比較的小さくすることができて、表示パネルの仕様の自由度を向上させることができる。
【００７２】
なお、本実施形態においては、列方向に沿って書込ラインと指定ラインとが離間する行数と、指定ラインと書込ラインとが離間する行数とが、同じｎ／２−１行に設定されるものとし、この場合には、書込ライン及び指定ラインに設定される非発光領域が発光状態に設定された表示領域内を移動する周波数が、正確にフレーム周波数の２倍になるため、上述の効果を最も効果的に生じさせることができる。しかしながら、列方向に沿って書込ラインと指定ラインとが離間する行数と、指定ラインと書込ラインと行とが離間する行数とがｎ／２−１に近似する行数であれば、互いに全く同じ行数でなくとも、概ね同様の効果を生じさせることができ、離間する行数は、ｎ／２−１行に近似する行数であればよい。
【００７３】
＜第２の実施形態＞
次に、本発明に係る表示装置の第２の実施形態について説明する。
上述した第１の実施形態においては、表示パネルの各行の表示画素への書込動作を実行する際に、当該書込動作が実行される行（書込ライン）から所定の行数だけ離間した行（指定ライン）の表示画素を、書込ラインとともに非発光状態に設定する場合について説明したが、第２の実施形態においては、表示パネルが連続する複数行の表示画素ごとにグループ分けされ、当該グループ単位で各行の書込動作を実行するとともに、当該書込動作が実行される行（書込ライン）を含むグループ（以下、便宜的に「書込グループ」と記す）から所定のグループ数だけ離間したグループ（以下、便宜的に「指定グループ」と記す）の表示画素を、書込グループとともに非発光状態に設定するように制御される。
【００７４】
＜表示装置＞
まず、本実施形態に係る表示装置の概略構成について、図面を参照して説明する。
図１１は、第２の実施形態に係る表示装置に適用される表示パネル及びその周辺回路（選択ドライバ、データドライバ、電源ドライバ）の一例を示す要部構成図である。ここで、上述した第１の実施形態と同等の構成については同一の符号を付してその説明を簡略化又は省略する。
【００７５】
図１１に示すように、本実施形態に係る表示装置１００においては、表示パネル１１０の行、列方向に２次元配列された複数の表示画素ＥＭが、予め任意の複数行ごとにグループ分けされ、後述する表示駆動方法に示すように、書込動作が実行される行（書込ライン）が含まれるグループ（書込グループ）に含まれる全ての行に対応する領域（書込領域）の表示画素ＥＭが非表示状態（非発光状態）に設定されるとともに、当該書込動作に同期して、当該書込動作が実行される行が含まれるグループに隣接するグループ以外の、所定のグループ数だけ離間したグループ（指定グループ）に含まれる全ての行に対応する領域（指定領域）の表示画素ＥＭを非表示状態（非発光状態）とし、その他の（書込動作がすでに終了している）グループに含まれる全ての行の表示画素ＥＭを表示状態（発光状態）に設定するように制御される。
【００７６】
ここで、各グループに含まれる表示画素ＥＭの表示状態（発光状態）又は非表示状態（非発光状態）は、各グループに含まれる全ての行の表示画素ＥＭに対して供給される電源電圧Ｖscを所定の表示レベル又は非表示レベルに切り換えることにより、もしくは、オン（供給）又はオフ（遮断）制御することにより設定される。そのため、本実施形態に適用される表示パネル１１０においては、例えば連続する数行〜数十行の表示画素ＥＭごとにグループ分けするように、単一の電源ライン（電源線）ＶＬがグループ内の全ての行に対応するように分岐して配設され、後述する電源ドライバ１３０（出力回路部１３２）から出力される電源電圧Ｖscがグループ内の全ての表示画素ＥＭに対して同時に共通して印加される。
【００７７】
また、本実施形態に適用される選択ドライバ１２０は、表示パネル１１０について予めグループ分けされた複数行ごとの表示画素ＥＭに対して、各グループの各行の選択ラインＳＬに順次選択信号Ｖselを印加することにより、当該グループの各行の表示画素ＥＭを順次選択状態に設定し、さらに、各グループについて同様の動作を実行することにより、結果的に、表示パネル１１０に配列された全ての表示画素ＥＭが行ごとに順次選択状態に設定される。
【００７８】
図１２は、本実施形態に係る表示装置に適用される電源ドライバの一例を示す概略構成図である。ここでは、表示パネル１１０に配列された表示画素ＥＭが、例えば２０行ごとにグループ分けされ、当該グループがｇ組設定されている場合について説明する。ここでｇは１＜ｇ＜ｎの範囲の整数であって、各グループが少なくとも２本以上の電源ラインＶＬに分岐されるとともに、表示パネル１１０が２以上のグループに分割されているものとする。
【００７９】
電源ドライバ１３０は、表示パネル１１０に２次元配列された複数の表示画素ＥＭのうち、表示データの書込動作のために上記選択ドライバ１２０により選択状態に設定された行を含むグループ（書込領域）の表示画素ＥＭ、及び、当該書込動作が実行される行を含むグループに隣接するグループ以外の、所定のグループ数だけ離間したグループ（指定領域）の表示画素ＥＭに対して、当該各グループに分岐して配設された電源ラインＶＬを介してローレベルの電源電圧Ｖsc（＝Ｖｓ）を同時に印加する動作を、表示パネル１１０の各グループに対して順次実行する。
【００８０】
これにより、書込動作が実行されている行を含むグループ（書込グループ）の全ての表示画素ＥＭ、及び、当該書込グループに隣接するグループ以外の離間したグループに含まれる全ての表示画素ＥＭに対して、分岐して配設された各電源ラインＶＬを介して、ローレベルの電源電圧Ｖsc（＝Ｖｓ）が印加されて非発光状態（非表示状態）に設定され、それ以外の（全ての行の書込動作が終了した）グループの表示画素ＥＭに対しては、各グループに対応して分岐して配設された各電源ラインＶＬを介してハイレベルの電源電圧Ｖsc（＝Ｖｅ）が印加されて発光状態（階調表示状態）に設定される。
【００８１】
ここで、電源ドライバ１３０は、上述した第１の実施形態と同様に、シフトレジスタ回路１３１と、出力回路部（出力バッファ）１３２と、を備え、特に、本実施形態においては、同一のグループに含まれる各行の表示画素ＥＭ、及び、当該グループ（書込グループ）から離間したグループに含まれる各行の表示画素ＥＭに対して、ローレベルの電源電圧Ｖsc（＝Ｖｓ）が同時に印加されるように、例えば図１２に示すように、シフトレジスタ回路１３１は、表示パネル１１０に設定されるグループの全数（ｇ組）の１／２に相当する数（ｇ／２）のシフト信号の出力端子を有し、また、出力回路部１３２は、各グループに対応してｇ個の増幅器ＡＰを有し、シフトレジスタ回路１３１から出力される各シフト信号が分岐された信号線を介して、ｚ番目のグループとｇ／２＋ｚ番目のグループに対応する各増幅器ＡＰに入力されて所定の電圧値に増幅（電圧レベルに変換）された後、ｚ番目のグループ及びｇ／２＋ｚ番目のグループに含まれる各電源ラインＶＬに同時に印加されるように構成されている。ここで、ｚは１〜ｇ／２の範囲の整数である。また、図示を省略したが、出力回路部１３２には、電源制御信号（出力制御信号ＶＯＥ）に基づいて、各増幅器ＡＰの出力電圧（電源電圧Ｖsc）を各グループの電源ラインＶＬに出力するスイッチング手段が設けられている。
【００８２】
すなわち、シフトレジスタ回路１３１から出力される１番目のシフト信号は、１番目のグループ１及びｇ／２＋１番目のグループｇ／２＋１に対応する増幅器ＡＰに入力され、２番目のシフト信号は、２番目のグループ２及びｇ／２＋２番目のグループｇ／２＋２に対応する増幅器ＡＰに入力され、３番目のシフト信号は、３番目のグループ３及びｇ／２＋３番目のグループｇ／２＋３に対応する増幅器ＡＰに入力され、・・・ｚ番目のシフト信号は、ｚ番目のグループｚ及びｇ／２＋ｚ番目のグループｇ／２＋ｚに対応する増幅器ＡＰに入力され、・・・ｇ／２番目のシフト信号は、ｇ／２番目のグループｇ／２及びｇ（＝ｇ／２＋ｇ／２）番目のグループｇに対応する増幅器ＡＰに入力される。
【００８３】
なお、図１２においては、表示データの書込動作が実行される行を含むグループ（書込グループ）に対して、ｇ／２−１グループ数分だけ離間したグループ（指定グループ）の表示画素ＥＭにローレベルの電源電圧Ｖsc（＝Ｖｓ）を印加して非発光状態に設定する場合の電源ドライバの構成について示したが、本発明はこれに限定されるものではなく、隣接するグループ（書込グループがｚ番目の場合、ｚ−１及びｚ＋１番目のグループ）以外であれば、上記ｇ／２−１グループ数以外の他のグループ数だけ離間したグループ（指定グループ）の表示画素ＥＭにローレベルの電源電圧Ｖscを印加するものであってもよい。
【００８４】
また、図１１、図１２においては、表示パネル１１０に設定される各グループに対応して電源ドライバ１３０により生成された電源電圧Ｖscが、表示パネル１１０内で分岐して配設された電源ラインＶＬを介して、各グループに含まれる全ての行の表示画素ＥＭに同時に印加される場合について説明したが、これに限定されるものではなく、各グループに対応して設けられた増幅器ＡＰの出力（電源電圧Ｖsc）が、電源ドライバ１３０内で表示パネル１１０の各行に対応して分岐され、各行の電源ラインＶＬに接続された信号線を介して、各グループに含まれる全ての行の表示画素ＥＭに同時に印加されるものであってもよい。
【００８５】
ここで、図１１、図１２に示したような前者の構成においては、表示パネル１１０と電源ドライバ１３０とをグループ単位で接続することができるので、相互の接続端子数を大幅に削減することができ、小型化や高精細化された表示パネルに適用可能な電源ドライバを提供することができる。一方、上記後者の構成においては、表示パネル１１０と電源ドライバ１３０とを行単位で接続することができるので、表示パネル１１０内の配線設計等を変更する必要がなく、既存の表示パネル１１０にそのまま適用可能な電源ドライバを提供することができる。
【００８６】
＜表示装置の表示駆動方法＞
次に、本実施形態に係る表示装置における表示駆動方法（画像情報の表示動作）について説明する。
図１３は、本実施形態に係る表示装置の表示駆動方法の一例を示すタイミングチャートであり、図１４は、本実施形態に係る表示装置の表示駆動方法を説明するための動作概念図ある。
【００８７】
本実施形態に係る表示装置１００の表示駆動方法は、表示パネル１１０に配列された各行ごとの表示画素ＥＭ（画素駆動回路ＤＣ）に対して、表示データに応じた階調電流Ｉdataを書き込む動作を全行について順次繰り返し、当該書込動作が実行される行を含むグループ（書込グループ）、及び、当該グループの隣接するグループ以外の、離間したグループ（指定グループ）に含まれる全ての行の表示画素ＥＭを非発光動作させるとともに、他のグループの表示画素ＥＭをすでに書き込まれた表示データ（階調電流Ｉdata）に応じた所定の輝度階調で発光動作させることにより、表示パネル１１０一画面分の画像情報が表示される。
【００８８】
本実施形態に係る表示駆動方法は、具体的には図１３に示すように、１フレーム期間Ｔfr内の１走査期間（書込動作期間Ｔwrt）において、選択ドライバ１２０から表示パネル１１０の特定の行（例えば、ｉ行目；１≦ｉ≦ｎ）の選択ラインＳＬに対して、図６（ａ）に示したように、選択レベル（ハイレベル）の選択信号Ｖselを印加することにより、当該ｉ行の表示画素ＥＭを選択状態に設定する。
【００８９】
この選択タイミングに同期して、データドライバ１４０から表示データに応じた電流値を有する階調電流Ｉdataを、各データラインＤＬに供給することにより、当該ｉ行の各表示画素ＥＭの画素駆動回路ＤＣに設けられたトランジスタＴｒ１３のゲート−ソース端子間（キャパシタＣｓの両端）に、階調電流Ｉdataに応じた電圧成分が保持（電荷が蓄積）される。
【００９０】
ここで、ｉ行目の表示画素ＥＭに対する書込動作期間Ｔwrtにおいては、図１２に示した電源ドライバ１３０により、書込動作が行われているｉ行目の電源ラインＶＬを含むグループ（書込グループ）ｚ内の全ての電源ラインＶＬ、及び、当該書込グループｚから所定のグループ数（例えばｇ／２−１グループ数）だけ離間したグループ（指定グループ）ｇ／２＋ｚ内の全ての電源ラインＶＬに対して、ローレベルの電源電圧Ｖsc（＝Ｖｓ）が印加されることにより、グループｚ及びグループｇ／２＋ｚの表示画素ＥＭにおいて有機ＥＬ素子ＯＬＥＤ方向に電流が流れないので非発光状態に設定される。なお、このとき、グループｇ／２＋ｚ内の表示画素ＥＭには、図１３に示すように、非選択レベル（ローレベル）の選択信号Ｖselが印加されて非選択状態に設定されている。
【００９１】
次いで、書込動作期間Ｔwrt終了後の発光動作期間Ｔemにおいては、図１３に示すように、選択ドライバ１２０から当該ｉ行の選択ラインＳＬに対して、非選択レベル（ローレベル）の選択信号Ｖselを印加することにより、当該ｉ行の各表示画素ＥＭを非選択状態に設定する。また、データドライバ１４０から各データラインＤＬへの階調電流Ｉdataの供給が遮断される。このような各行の表示画素ＥＭに対する書込動作を、グループ（書込グループ）ｚ内の全ての行に対して順次繰り返し実行されるとともに、各行の書込動作が相互に時間的に重ならないように実行される。
【００９２】
そして、書込グループｚ内の全ての行に対して書込動作が終了したタイミングに同期して、電源ドライバ１３０から当該書込グループｚ内の全ての電源ラインＶＬ、及び、当該書込グループｚから離間した指定グループｇ／２＋ｚ内の全ての電源ラインＶＬに対して、図１２に示した電源ドライバ１３０により、ハイレベルの電源電圧Ｖsc（＝Ｖｅ）が印加されることにより、書込グループｚ及び指定グループｇ／２＋ｚ内の全ての行の各表示画素ＥＭ（発光駆動用のトランジスタＴｒ１３のゲート−ソース間）に充電された電圧成分に基づいて、表示データ（階調電流Ｉdata）に応じた発光駆動電流Ｉｂが有機ＥＬ素子ＯＬＥＤに供給されて、所定の輝度階調で発光動作が行われる。
【００９３】
このような発光動作は、当該ｉ行が含まれるグループｚについて次の書込動作、又は、書込動作と同期して実行される非発光動作の開始タイミングまで継続して実行される。すなわち、表示パネル１１０にｎ行の表示画素ＥＭが配列され、例えば２０行ごとにｇ組のグループが設定されている場合、１フレーム期間Ｔfrにおいて、グループ１の１〜２０行目のいずれかの行の表示画素ＥＭに書込動作が実行されている期間中、当該グループ１及びグループｇ／２＋１の電源ラインＶＬに、図１２に示した電源ドライバ１３０からローレベルの電源電圧Ｖsc（＝Ｖｓ）が同時に印加されて非発光状態に設定され、それ以外の期間では、電源ドライバ１３０からハイレベルの電源電圧Ｖsc（＝Ｖｅ）が印加されて各表示画素ＥＭに書き込まれた表示データ（階調電流Ｉdata）に基づいて発光状態に設定される。
【００９４】
そして、上述したような表示駆動動作を表示パネル１１０の全行について予め設定したグループ単位で順次繰り返し実行するとともに、書込動作を各行の表示画素ＥＭについて相互に時間的に重ならないようにしつつ、発光動作を各グループの表示画素ＥＭ間で一部時間的に重なるように設定することにより、図１４に示す動作概念図のように、書込動作を実行する行が含まれる書込グループと、当該グループから所定のグループ数だけ離れた指定グループが非発光状態に設定され、書込動作が順次次の行に移行し、当該行が含まれるグループが移行することに伴って、非発光状態に設定された書込グループと指定グループが、発光状態に設定された表示パネル１１０の表示領域内を一定の間隔（位置関係）を保ちつつ下方に移動するように制御される（図１４（ａ）〜（ｄ）参照）。また、図１４（ｄ）に示すように、書込動作（書込グループ）がグループｇ／２に達して、指定グループがグループｇに達した後、グループｇ／２＋１に書込動作が実行される場合には、図１４（ｅ）に示すように、指定グループは表示パネル１１０のグループ１に移動し、書込動作が順次次のグループに移行することに伴って、書込グループとの間隔を保ちつつ下方に移動するように制御される（図１４（ｅ）〜（ｈ）参照）。
【００９５】
このような表示装置の表示駆動方法によれば、書込グループ内の各行の表示画素に書込動作を実行する期間、及び、指定グループに設定されている期間中、当該書込グループ及び指定グループに含まれる表示画素（発光素子）は発光動作が行われず、非発光状態（非表示状態）に設定されるので、１フレーム期間のうち、一定期間のみ表示データに応じた輝度階調で発光動作する擬似インパルス型の表示駆動制御を実現することができる。
【００９６】
特に、本実施形態に係る表示駆動方法によれば、上述した第１の実施形態と同様に、表示パネル１１０の表示領域に画像情報を表示する際のフレーム周波数を比較的低い値に設定した場合であっても、フリッカーが認識されにくい画像表示を実現することができる。具体的には、本実施形態に示したような画素駆動回路（図３、図６〜図８参照）を備えた表示画素を適用し、かつ、表示パネルの複数の表示画素を複数行ごとにグループ化して、各グループごとに電源ラインに印加される電源電圧を制御した場合、各グループは書込動作時には非発光状態に設定され、その他の期間においては発光状態に設定される。
【００９７】
すなわち、書込動作が行われている行を含むグループ（書込グループ）が非発光の領域となり、書込動作が各行ごとに順次実行されることにより、各グループに含まれる行数に応じたある一定の幅を持った非発光の領域が表示パネル１１０の上から下へと所定のタイミングで順次移移動行していくことになる。ここで、有機ＥＬ素子は電源電圧のオン（ハイレベル；Ｖｅ）、オフ（ローレベル；Ｖｓ）制御に対して高速なレスポンス特性を有するため、上記非発光領域は完全な黒レベルとなって表示される。
【００９８】
そのため、各グループに含まれる行数を多くして非発光領域の幅を大きくした場合や、製品コストの削減や消費電力の低減のためにフレーム周波数を低く設定した場合等においては、書込動作を各行ごとに実行し、かつ、当該書込ラインを非発光状態に設定する表示駆動方法に比較して、周期的に明るさが変化していること（フリッカー）が視覚的に認識されやすくなる。
【００９９】
そこで、本実施形態においては、書込動作が実行される行が含まれるグループ（書込グループ）、及び、当該書込グループに隣接しない、離間したグループ（指定グループ）に配設される電源ラインにローレベルの電源電圧を同時に印加して当該グループ内の表示画素ＥＭを非発光状態に設定し、当該グループ間の位置関係を維持した状態で例えば表示パネル上方から下方へ走査するように制御する。
【０１００】
このとき、表示パネル１１０の表示領域に画像情報を表示する際のフレーム周波数を例えば「ｆ」とした場合、書込グループ及び指定グループに設定される非発光領域が表示領域内を移動する周波数は２倍の「２ｆ」に相当することになる。したがって、フレーム周波数を一般的な６０Ｈｚ以上の高い値から３０Ｈｚ程度の低い値に設定した場合であっても、表示領域に表示された画像情報（発光領域）に指定グループの非発光領域を挿入したことにより明暗変化の周波数を実質的に高くすることができるので、低いフレーム周波数であってもフリッカーが認識されにくい画像表示を実現することができる。また、これにより、表示装置に適用するドライバ（表示駆動装置）の消費電力を低減させることができるとともに、コストを低減することができ、また、ドライバを比較的小さくすることができて、表示パネルの仕様の自由度を向上させることができる。
【０１０１】
＜第３の実施形態＞
次に、本発明に係る表示装置の第３の実施形態について説明する。
上述した第１の実施形態においては、表示パネルの各行の表示画素への書込動作を実行する際に、当該書込動作が実行される行（書込ライン）から所定の行数だけ離間した行（指定ライン）の表示画素を、書込ラインとともに非発光状態に設定する場合について説明した。この場合、非発光状態とする行を、書込ラインと、該書込ラインから所定行数だけ離間した指定ラインの２行とした場合について説明したが、第３の実施形態においては、書込ラインから所定行数離間した行に加え、互いに当該所定行数だけ離間した複数の行を、指定ラインとして非発光状態に設定するように制御される。
【０１０２】
図１５は、本実施形態に係る表示装置に適用される電源ドライバの一例を示す概略構成図であり、図１６は、本実施形態に係る表示装置の表示駆動方法を説明するための動作概念図ある。ここでは、説明の都合上、書込ラインから所定行数だけ離間するとともに、互いに所定行数だけ離間した複数の行（２つの行）を指定ラインとして設定する場合について説明する。ここで、上述した第１の実施形態と同等の構成については、同一の符号を付してその説明を簡略化又は省略する。また、必要に応じて適宜第１の実施形態の記載を参照して説明する。
【０１０３】
本実施形態に係る表示装置は、後述する電源ドライバ１３０以外が、上述した第１の実施形態と略同等の構成（図２参照）を有し、本実施形態に特有の構成を有する電源ドライバ１３０が、図１５に示すように、表示パネル１１０に配設される電源ラインＶＬの本数（行数ｎと同等）の１／３に相当する数（ｎ／３）のシフト信号の出力端子を有するシフトレジスタ回路１３１と、シフトレジスタ回路１３１の各出力端子に対応してｎ／３個の増幅器ＡＰを有し、各増幅器ＡＰの出力電圧を分岐された信号線を介して、表示パネル１１０の、互いにｎ／３−１行だけ離間した、ｘ行目及びｎ／３＋ｘ行目、２×ｎ／３＋ｘ行目の各電源ラインＶＬに印加する出力回路部１３２と、を備えている。ここで、ｘは１〜ｎ／３の範囲の整数である。また、図示を省略したが、本実施形態においても、出力回路部１３２には、出力制御信号ＶＯＥに基づいて、各増幅器ＡＰの出力電圧を各行の電源ラインＶＬに出力するスイッチング手段が設けられている。
【０１０４】
すなわち、シフトレジスタ回路１３１から出力回路部１３２を介して出力される１番目の出力電圧は、１行目及びｎ／３＋１行目、２×ｎ／３＋１行目の各電源ラインＶＬに分岐されて、各々電源電圧Ｖscとして出力され、２番目の出力電圧は、２行目及びｎ／３＋２行目、２×ｎ／３＋２行目の各電源ラインＶＬに出力され、３番目の出力電圧は、３行目及びｎ／３＋３行目、２×ｎ／３＋３行目の各電源ラインＶＬに出力され、・・・ｘ番目の出力電圧は、ｘ行目及びｎ／３＋ｘ行目、２×ｎ／３＋ｘ行目の各電源ラインＶＬに出力され、・・・ｎ／３番目の出力電圧は、ｎ／３行目及び２×ｎ／３（＝ｎ／３＋ｎ／３）行目、ｎ（＝２×ｎ／３＋ｎ／３）行目の各電源ラインＶＬに出力される。
【０１０５】
なお、図１５においては、表示データの書込動作が実行される行（例えばｘ行目；書込ライン）の表示画素ＥＭに対して、ｎ／３−１行分だけ離間するとともに、互いにｎ／３−１行分だけ離間した２つの行（ｎ／２＋ｘ行目、２×ｎ／３＋ｘ行目；指定ライン）の表示画素ＥＭにローレベルの電源電圧Ｖsc（＝Ｖｓ）を印加して非発光状態に設定する場合の電源ドライバの構成について示したが、本発明はこれに限定されるものではなく、例えば、書込ラインからｎ／４−１行分離間するとともに、互いにｎ／４−１行分だけ離間した３つの行の指定ラインや、書込ラインからｎ／５−１行分離間するとともに、互いにｎ／５−１行分だけ離間した４つの行の指定ラインの表示画素ＥＭに分岐された出力信号（ローレベルの電源電圧Ｖsc）を印加するものであってもよく、書込ラインと指定ラインの総数をｑとしたとき、指定ラインは書込ラインからｎ／ｑ−１の行数だけ離間するとともに、互いにｎ／ｑ−１の行数だけ離間するように設定される。この場合、シフトレジスタ回路１３１の出力端子の数、及び、出力回路部１３２に設けられる増幅器ＡＰの数は、同時に電源電圧Ｖscが印加される書込ライン及び複数の指定ラインの総数ｑに応じてｎ／ｑ（ｑは例えば１＜ｑ＜ｎとなる整数）に決定される。
【０１０６】
また、図１５に示した電源ドライバ１３０においては、電源ドライバ１３０の出力回路部１３２の各増幅器ＡＰから出力された出力信号が表示パネル１１０内で分岐（分配）されて、複数の電源ラインＶＬ（書込ライン及び複数の指定ライン）を介して、各行の表示画素ＥＭに電源電圧Ｖscとして同時に印加される場合について説明したが、これに限定されるものではなく、各増幅器ＡＰの出力信号が、電源ドライバ１３０内で表示パネル１１０の各行に対応して分岐され、各電源ラインＶＬを介して、各行の表示画素ＥＭに電源電圧Ｖscとして同時に印加されるものであってもよい。
【０１０７】
ここで、図１５に示したような前者の構成においては、表示パネル１１０と電源ドライバ１３０とを、同時に電源電圧Ｖscが印加される書込ライン及び複数の指定ラインの総数ｑに応じた数（ｎ／ｑ）の接続端子で接続することができるので、相互の接続端子数を第１及び第２の実施形態に比較して、さらに削減することができ、電源ドライバ１３０の小型化や低コスト化を図ることができる。一方、上記後者の構成においては、表示パネル１１０と電源ドライバ１３０とを行単位で接続することができるので、第2の実施形態の場合と同様に、表示パネル１１０内の配線設計等を変更する必要がなく、既存の表示パネル１１０にそのまま適用可能な電源ドライバを提供することができる。
【０１０８】
上述したような構成を有する電源ドライバ１３０を備えた表示装置１００の表示駆動方法は、表示パネル１１０に配列された各行ごとの表示画素ＥＭ（画素駆動回路ＤＣ）に対して、表示データに応じた階調電流Ｉdataを書き込む動作を全行について順次繰り返し、当該書込動作が実行される行（書込ライン）、及び、当該書込ラインから所定行数だけ離間するとともに、互いに所定行数だけ離間した複数の行（指定ライン）の表示画素ＥＭを非発光動作させるとともに、他の行の表示画素ＥＭをすでに書き込まれた表示データ（階調電流Ｉdata）に応じた所定の輝度階調で発光動作させることにより、表示パネル１１０一画面分の画像情報が表示される。
【０１０９】
すなわち、図１６に示す動作概念図のように、書込動作を実行するｘ番目の行（書込ライン）と、当該行からｎ／３−１行だけ離間するとともに、互いに所定行数（ｎ／３−１行）だけ離間したｎ／３＋ｘ行目及び２×ｎ／３＋ｘ行目の複数（２行）の指定ラインが非発光状態に設定され、書込動作が順次次の行に移行することに伴って、非発光状態に設定された書込ラインと複数の指定ラインが、発光状態に設定された表示パネル１１０の表示領域内を一定の間隔（位置関係）を保ちつつ下方に移動するように制御される（図１６（ａ）〜（ｄ）参照）。そして、図１６（ｄ）に示すように、書込動作（書込ライン）がｎ／３行目に達して、各指定ラインが２×ｎ／３行目及びｎ行目に達した後、ｎ／３＋１行目に書込動作が実行される場合には、図１６（ｅ）に示すように、各指定ラインは表示パネル１１０の２×ｎ／３＋１行目及び１行目に移動し、書込動作が順次次の行に移行することに伴って、書込ラインとの間隔を保ちつつ下方に移動するように制御される（図１６（ｅ）〜（ｈ）参照）。
【０１１０】
このような表示装置の表示駆動方法によれば、上述した第１の実施形態と同様に、書込ラインの表示画素に書込動作を実行する期間、及び、指定ラインに設定されている期間中、当該書込ライン及び複数の指定ラインの表示画素（発光素子）は発光動作が行われず、非発光状態（非表示状態）に設定されるので、１フレーム期間のうち、一定期間のみ表示データに応じた輝度階調で発光動作する擬似インパルス型の表示駆動制御を実現することができる。
【０１１１】
特に、本実施形態によれば、表示パネルにおける各行の表示画素の選択周期が一定である場合、非発光状態（非表示状態）となる行数を増やす程、見かけ上、黒線が画面上を移動する周期を短くすることができる。したがって、見かけ上の黒線移動周期をフリッカーが見えない一定周期に設定することにより、非発光状態となる行数（すなわち、指定ラインの行数）を増やす程、選択周期をより長くして（周波数を遅く）することができて、上記第１の実施形態の場合に比べて、表示装置に適用するドライバの消費電力を更に低減させ、コストを更に低減することができるとともに、ドライバを更に小さくすることができて、表示パネルの仕様の自由度を更に向上させることができる。また、本実施形態によれば、上述した第１の実施形態と同様に、非発光領域が各行により規定されるので、非発光領域の幅を狭く（細く）することができ、視認されにくいという特徴を有している。
【０１１２】
なお、本実施形態においては、書込ラインと指定ラインの総数をｑとしたとき、指定ライ
ンは書込ラインからｎ／ｑ−１の行数だけ離間するとともに、互いにｎ／ｑ−１の行数だけ離間するように設定されるとして、書込ラインと各指定ラインとが相互に離間する行数を同じとし、この場合に、上述の効果を最も効果的に生じさせることができる。しかしながら、書込ラインと各指定ラインとが相互に離間する行数がｎ／ｑ−１の行数に近似するものであれば、全く同じ行数でなくとも、概ね同様の効果を生じさせることができ、離間する行数は、ｎ／ｑ−１行に近似する行数であればよい。
【０１１３】
＜第４の実施形態＞
次に、本発明に係る表示装置の第４の実施形態について説明する。
上述した第２の実施形態においては、予め複数行の表示画素ごとにグループ分けされた表示パネルにおいて、表示画素への書込動作の際に、当該書込動作が実行される行（書込ライン）を含む書込グループから所定のグループ数だけ離間した指定グループの表示画素を、書込グループとともに非発光状態に設定する場合について説明したが、第４の実施形態においては、書込グループから所定のグループ数離間したグループに加え、互いに当該所定グループ数だけ離間した複数のグループを、指定グループとして非発光状態に設定するように制御される。
【０１１４】
図１７は、本実施形態に係る表示装置に適用される電源ドライバの一例を示す概略構成図であり、図１８は、本実施形態に係る表示装置の表示駆動方法を説明するための動作概念図ある。ここでは、説明の都合上、書込グループから所定グループ数だけ離間するとともに、互いに所定グループ数だけ離間した複数のグループ（２つのグループ）を指定グループとして設定する場合について説明する。ここで、上述した第２又は第３の実施形態と同等の構成については、同一の符号を付してその説明を簡略化又は省略する。また、必要に応じて適宜第２又は第３の実施形態の記載を参照して説明する。
【０１１５】
本実施形態に係る表示装置は、後述する電源ドライバ１３０以外が、上述した第２の実施形態と略同等の構成（図１１参照）を有し、本実施形態に特有の構成を有する電源ドライバ１３０が、図１７に示すように、表示パネル１１０に設定されるグループの全数（ｇ組）の１／３に相当する数（ｇ／３）のシフト信号の出力端子を有するシフトレジスタ回路１３１と、シフトレジスタ回路１３１の各出力端子に対応してｇ／３個の増幅器ＡＰを有し、各増幅器ＡＰの出力電圧を分岐された信号線を介して、表示パネル１１０のｚ番目及びｇ／３＋ｚ番目、２×ｇ／３＋ｚ番目の各グループに含まれる全ての電源ラインＶＬに印加する出力回路部１３２と、を備えている。ここで、ｚは１〜ｇ／３の範囲の整数である。
【０１１６】
すなわち、シフトレジスタ回路１３１から出力回路部１３２を介して出力される１番目の出力電圧は、１番目及びｇ／３＋１番目、２×ｇ／３＋１番目の各グループに含まれる全ての電源ラインＶＬに分岐されて、各々電源電圧Ｖscとして出力され、２番目の出力電圧は、２番目及びｇ／３＋２番目、２×ｇ／３＋２番目の各グループに含まれる全ての電源ラインＶＬに出力され、３番目の出力電圧は、３番目及びｇ／３＋３番目、２×ｇ／３＋３番目の各グループに含まれる全ての電源ラインＶＬに出力され、・・・ｚ番目の出力電圧は、ｚ番目及びｇ／３＋ｚ番目、２×ｇ／３＋ｚ番目の各グループに含まれる全ての電源ラインＶＬに出力され、・・・ｇ／３番目の出力電圧は、ｇ／３番目及び２×ｇ／３（＝ｇ／３＋ｇ／３）番目、ｇ（＝２×ｇ／３＋ｇ／３）番目の各グループに含まれる全ての電源ラインＶＬに出力される。
【０１１７】
なお、図１７においては、表示データの書込動作が実行される行を含むグループ（例えばｚ番目；書込グループ）の表示画素ＥＭに対してｇ／３−１グループ数だけ離間するとともに、互いにｇ／３−１グループ数だけ離間した２つのグループ（ｇ／２＋ｚ番目、２×ｇ／３＋ｚ番目；指定グループ）の表示画素ＥＭにローレベルの電源電圧Ｖsc（＝Ｖｓ）を印加して非発光状態に設定する場合の電源ドライバの構成について示したが、本発明はこれに限定されるものではなく、例えば、書込グループに対してｇ／４−１グループ数だけ離間するとともに、互いにｇ／４−１グループ数だけ離間した３つの指定グループや、書込グループに対してｇ／５−１グループ数だけ離間するとともに、互いにｇ／５−１グループ数だけ離間した４つの指定グループに含まれる表示画素ＥＭに分岐された出力信号（ローレベルの電源電圧Ｖsc）を印加するものであってもよい。この場合、シフトレジスタ回路１３１の出力端子の数、及び、出力回路部１３２に設けられる増幅器ＡＰの数は、同時に電源電圧Ｖscが印加される書込グループ及び複数の指定グループの総数ｒに応じてｇ／ｒ（ｒは例えば１＜ｒ＜ｇとなる整数）に決定される。
【０１１８】
また、図１７に示した電源ドライバ１３０においては、電源ドライバ１３０の出力回路部１３２の各増幅器ＡＰから出力された出力信号が表示パネル１１０内で分岐（分配）されて、複数のグループ（書込グループ及び複数の指定グループ）に含まれる電源ラインＶＬを介して、各行の表示画素ＥＭに電源電圧Ｖscとして同時に印加される場合について説明したが、これに限定されるものではなく、各増幅器ＡＰの出力信号が、電源ドライバ１３０内で表示パネル１１０の各グループや各行に対応して分岐され、各電源ラインＶＬを介して、各行の表示画素ＥＭに電源電圧Ｖscとして同時に印加されるものであってもよい。
【０１１９】
ここで、図１７に示したような前者の構成においては、表示パネル１１０と電源ドライバ１３０とを、同時に電源電圧Ｖscが印加される書込グループ及び複数の指定グループの総数ｒに応じた数（ｇ／ｒ）の接続端子で接続することができるので、相互の接続端子数を第1乃至第３の実施形態に比較して、さらに削減することができ、電源ドライバ１３０の一層の小型化や低コスト化を図ることができる。
【０１２０】
上述したような構成を有する電源ドライバ１３０を備えた表示装置１００の表示駆動方法は、表示パネル１１０に配列された各行ごとの表示画素ＥＭ（画素駆動回路ＤＣ）に対して、表示データに応じた階調電流Ｉdataを書き込む動作を全行について順次繰り返し、当該書込動作が実行される行を含む書込グループ、及び、当該書込グループから所定のグループ数だけ離間するとともに、互いに所定のグループ数だけ離間した複数の指定グループに含まれる全ての行の表示画素ＥＭを非発光動作させるとともに、他のグループの表示画素ＥＭをすでに書き込まれた表示データ（階調電流Ｉdata）に応じた所定の輝度階調で発光動作させることにより、表示パネル１１０一画面分の画像情報が表示される。
【０１２１】
すなわち、図１８に示す動作概念図のように、書込動作を実行するｚ番目の書込グループと、当該書込グループから所定のグループ数（ｇ／３―１）だけ離間するとともに、互いに所定のグループ数（ｇ／３―１）だけ離間したｇ／３＋ｚ番目及び２×ｇ／３＋ｚ番目の複数（２つ）の指定グループが非発光状態に設定され、書込動作が順次次の行に移行し、当該行が含まれるグループが移行することに伴って、非発光状態に設定された書込グループと複数の指定グループが、発光状態に設定された表示パネル１１０の表示領域内を一定の間隔（位置関係）を保ちつつ下方に移動するように制御される（図１８（ａ）〜（ｄ）参照）。そして、図１８（ｄ）に示すように、書込動作（書込グループ）がｇ／３番目に達して、各指定グループが２×ｇ／３番目及びｇ番目に達した後、ｇ／３＋１番目に書込動作が実行される場合には、図１８（ｅ）に示すように、各指定グループは表示パネル１１０の２×ｇ／３＋１番目及び１番目に移動し、書込動作が順次次のグループに移行することに伴って、書込グループとの間隔を保ちつつ下方に移動するように制御される（図１８（ｅ）〜（ｈ）参照）。
【０１２２】
このような表示装置の表示駆動方法によれば、上述した第２の実施形態と同様に、書込グループ内の各行の表示画素に書込動作を実行する期間、及び、指定グループに設定されている期間中、当該書込グループ及び複数の指定グループに含まれる表示画素（発光素子）は発光動作が行われず、非発光状態（非表示状態）に設定されるので、１フレーム期間のうち、一定期間のみ表示データに応じた輝度階調で発光動作する擬似インパルス型の表示駆動制御を実現することができる。
【０１２３】
特に、本実施形態によれば、表示パネルにおける各行の表示画素の選択周期が一定である場合、非発光状態（非表示状態）となるグループ数を増やす程、見かけ上、黒線が画面上を移動する周期を短くすることができる。したがって、見かけ上の黒線移動周期をフリッカーが見えない一定周期に設定することにより、非発光状態となるグループ数（すなわち、指定グループの数）を増やす程、選択周期をより長くして（周波数を遅く）することができる。これにより、上記第２の実施形態の場合に比べて、表示装置に適用するドライバの消費電力を更に低減させ、コストを更に低減することができるとともに、ドライバを更に小さくすることができて、表示パネルの仕様の自由度を更に向上させることができる。
【図面の簡単な説明】
【０１２４】
【図１】本発明に係る表示装置の全体構成の一例を示す概略ブロック図である。
【図２】第１の実施形態に係る表示装置に適用される表示パネル及びその周辺回路（選択ドライバ、データドライバ、電源ドライバ）の一例を示す要部構成図である。
【図３】第１の実施形態に係る表示装置に適用される表示画素（画素駆動回路及び発光素子）の一実施形態を示す回路構成図である。
【図４】第１の実施形態に係る表示装置に適用される電源ドライバの一例を示す概略構成図である。
【図５】第１の実施形態に係る表示装置に適用可能なデータドライバの一例を示す概略ブロック図である。
【図６】第１の実施形態に係る表示装置に適用される表示画素における基本動作を示すタイミングチャートである。
【図７】第１の実施形態に係る表示画素における書込動作及び発光動作を示す概念図である。
【図８】第１の実施形態に係る表示画素における非発光動作を示す概念図である。
【図９】第１の実施形態に係る表示装置の表示駆動方法の一例を示すタイミングチャートである。
【図１０】第１の実施形態に係る表示装置の表示駆動方法を説明するための動作概念図ある。
【図１１】第２の実施形態に係る表示装置に適用される表示パネル及びその周辺回路（選択ドライバ、データドライバ、電源ドライバ）の一例を示す要部構成図である。
【図１２】第２の実施形態に係る表示装置に適用される電源ドライバの一例を示す概略構成図である。
【図１３】第２の実施形態に係る表示装置の表示駆動方法の一例を示すタイミングチャートである。
【図１４】第２の実施形態に係る表示装置の表示駆動方法を説明するための動作概念図ある。
【図１５】第３の実施形態に係る表示装置に適用される電源ドライバの一例を示す概略構成図である。
【図１６】第３の実施形態に係る表示装置の表示駆動方法を説明するための動作概念図ある。
【図１７】第４の実施形態に係る表示装置に適用される電源ドライバの一例を示す概略構成図である。
【図１８】第４の実施形態に係る表示装置の表示駆動方法を説明するための動作概念図ある。
【符号の説明】
【０１２５】
１００      表示装置
１１０      表示パネル
１２０      選択ドライバ
１３０      電源ドライバ
１４０      データドライバ
１５０      システムコントローラ
ＥＭ        表示画素
ＤＣ        画素駆動回路
ＳＬ        選択ライン
ＶＬ        電源ライン
ＤＬ        データライン
Ｔｒ１１〜Ｔｒ１３    トランジスタ
Ｃｓ        キャパシタ
ＯＬＥＤ    有機ＥＬ素子
【図１】
0004753096.tif 000002
【図２】
0004753096.tif 000003
【図３】
0004753096.tif 000004
【図４】
0004753096.tif 000005
【図５】
0004753096.tif 000006
【図６】
0004753096.tif 000007
【図７】
0004753096.tif 000008
【図８】
0004753096.tif 000009
【図９】
0004753096.tif 000010
【図１０】
0004753096.tif 000011
【図１１】
0004753096.tif 000012
【図１２】
0004753096.tif 000013
【図１３】
0004753096.tif 000014
【図１４】
0004753096.tif 000015
【図１５】
0004753096.tif 000016
【図１６】
0004753096.tif 000017
【図１７】
0004753096.tif 000018
【図１８】
0004753096.tif 000019